(57)【特許請求の範囲】
【請求項１】
糊代片、第一側パネル、第二側パネル、第三側パネル、第四側パネルが折れ線を介して折り曲げ可能に連設され、前記第一側パネルの上辺には天下パネルが折れ線を介して折り曲げ可能に連設され、下辺には底下パネルが折れ線を介して折り曲げ可能に連設され、前記第二側パネルの上辺及び下辺には折り込み片がそれぞれ折れ線を介して折り曲げ可能に連設され、前記第三側パネルの上辺には天パネルが折れ線を介して折り曲げ可能に連設され、下辺には底パネルが折れ線を介して折り曲げ可能に連設され、前記第四側パネルの上辺及び下辺には折り込み片がそれぞれ折れ線を介して折り曲げ可能に連設され、前記第四側パネルの側辺には、前記第一側パネルと略同形状の第一表示パネルが折れ線を介して折り曲げ可能に連設され、前記第一表示パネルの上辺の略中央部に、カートンを組み立てたときに前記天パネルと前記天下パネルとの間に天パネル開放辺の奥行方向の所定位置において左右幅方向に横長な接着部と同じく天パネル開放辺の左右幅方向の両側近傍でそれぞれ奥行方向に縦長な接着部との部分的な接着のための接着剤塗布部分を除いて形成される隙間に前記第一側パネル側から挿入可能な少なくとも前記天パネルより左右幅及び奥行寸法の短い形状の差し込み片が折れ線を介して折り曲げ可能に設けられ、前記第一表示パネルの下辺の略中央部には、カートンを組み立てたときに前記底パネルと前記底下パネルとの間に底パネル開放辺の奥行方向の所定位置において左右幅方向に横長な接着部と同じく底パネル開放辺の左右幅方向の両側近傍でそれぞれ奥行方向に縦長な接着部との部分的な接着のための接着剤塗布部分を除いて形成される隙間に前記第一側パネル側から挿入可能な少なくとも前記底パネルより幅及び奥行寸法の短い形状の差し込み片が折れ線を介して折り曲げ可能に設けられたブランクを組み立てて形成されたことを特徴とする表示パネル付きカートン。
【請求項２】
前記第一表示パネルの側辺には、カートンを組み立てたときに前記第一表示パネルと前記第一側パネルとの間に折り込まれる該第一表示パネルより小さい形状の第二表示パネルが折れ線を介して折り曲げ可能に設けられていることを特徴とする請求項１に記載の表示パネル付きカートン。
【請求項３】
糊代片、第一側パネル、第二側パネル、第三側パネル、第四側パネルが折れ線を介して折り曲げ可能に連設され、前記第二側パネルの上辺には天下パネルが折れ線を介して折り曲げ可能に連設され、下辺には底下パネルが折れ線を介して折り曲げ可能に連設され、前記第一側パネルの上辺及び下辺には折り込み片がそれぞれ折れ線を介して折り曲げ可能に連設され、前記第四側パネルの上辺には天パネルが折れ線を介して折り曲げ可能に連設され、下辺には底パネルが折れ線を介して折り曲げ可能に連設され、前記第三側パネルの上辺及び下辺には折り込み片がそれぞれ折れ線を介して折り曲げ可能に連設され、前記第四側パネルの側辺には、前記第一側パネルと略同形状の第一表示パネルが折れ線を介して折り曲げ可能に連設され、前記第一表示パネルの側辺には前記第二側パネルと略同形状の第二表示パネルが折れ線を介して折り曲げ可能に連設され、前記第二表示パネルの上辺の略中央部に、カートンを組み立てたときに前記天パネルと前記天下パネルとの間に天パネル開放辺の奥行方向の所定位置において左右幅方向に横長な接着部と同じく天パネル開放辺の左右幅方向の両側近傍でそれぞれ奥行方向に縦長な接着部との部分的な接着のための接着剤塗布部分を除いて形成される隙間に前記第二側パネル側から挿入可能な少なくとも前記天パネルより幅及び奥行寸法の短い形状の差し込み片が折れ線を介して折り曲げ可能に設けられ、前記第二表示パネルの下辺の略中央部には、カートンを組み立てたときに前記底パネルと前記底下パネルとの間に底パネル開放辺の奥行方向の所定位置において左右幅方向に横長な接着部と同じく底パネル開放辺の左右幅方向の両側近傍でそれぞれ奥行方向に縦長な接着部との部分的な接着のための接着剤塗布部分を除いて形成される隙間に前記第二側パネル側から挿入可能な少なくとも前記底パネルより左右幅及び奥行寸法の短い形状の差し込み片が折れ線を介して折り曲げ可能に設けられたブランクを組み立てて形成されたことを特徴とする表示パネル付きカートン。
【発明の詳細な説明】
【０００１】
【発明の属する技術分野】
この発明は、医薬品、化粧品、電気部品等の説明文を多く記載しなければならない商品を収納する表示パネル付きカートンに関するものである。
【０００２】
【従来の技術】
従来から、医薬品、化粧品、電気部品等の内容物を収納したカートンにおいて、商品についての内容説明、使用方法等の情報は、これらの内容物を収納するカートンの表面に印刷されたり、情報が印刷された「取扱説明書」等が別途内容物と共にカートンに収納されている。また、所謂ＰＬ法の施行に伴い、カートンに記載する内容説明、使用方法等の情報量は益々増加する傾向にある。
【０００３】
【発明が解決しようとする課題】
しかしながら、内容説明、使用方法等の情報をカートンの表面に印刷する場合には、カートンの表面積によって印刷する部分が限定されるため、充分な量の内容説明、使用方法等の情報を記載することができない。
【０００４】
一方、別途商品と共にカートン内に収納する「取扱説明書」等の場合には、情報量を多くすることはできるが、この場合には開封してカートンから取り出さねばならず、カートンの種類によってはカートンの一部を破損しなければ取り出せないため、このようなカートンの場合、製品の購入前に消費者が「取扱説明書」等を読むことは不可能であった。つまり、必要とされる情報を消費者が購入前に得ることが困難な状況となっていた。
【０００５】
本発明は、カートンに記載できる表面積を増やすために、表示パネルを設けることによって、製品の購入前に必要な多くの情報を消費者（使用者）が得ることができる表示パネル付きカートンを提供することを目的とするものである。
【０００６】
【課題を解決するための手段】
上記の目的を達成するために、請求項１に記載の発明は、糊代片、第一側パネル、第二側パネル、第三側パネル、第四側パネルが折れ線を介して折り曲げ可能に連設され、前記第一側パネルの上辺には天下パネルが折れ線を介して折り曲げ可能に連設され、下辺には底下パネルが折れ線を介して折り曲げ可能に連設され、前記第二側パネルの上辺及び下辺には折り込み片がそれぞれ折れ線を介して折り曲げ可能に連設され、前記第三側パネルの上辺には天パネルが折れ線を介して折り曲げ可能に連設され、下辺には底パネルが折れ線を介して折り曲げ可能に連設され、前記第四側パネルの上辺及び下辺には折り込み片がそれぞれ折れ線を介して折り曲げ可能に連設され、前記第四側パネルの側辺には、前記第一側パネルと略同形状の第一表示パネルが折れ線を介して折り曲げ可能に連設され、前記第一表示パネルの上辺の略中央部に、カートンを組み立てたときに前記天パネルと前記天下パネルとの間に天パネル開放辺の奥行方向の所定位置において左右幅方向に横長な接着部と同じく天パネル開放辺の左右幅方向の両側近傍でそれぞれ奥行方向に縦長な接着部との部分的な接着のための接着剤塗布部分を除いて形成される隙間に前記第一側パネル側から挿入可能な少なくとも前記天パネルより左右幅及び奥行寸法の短い形状の差し込み片が折れ線を介して折り曲げ可能に設けられ、前記第一表示パネルの下辺の略中央部には、カートンを組み立てたときに前記底パネルと前記底下パネルとの間に底パネル開放辺の奥行方向の所定位置において左右幅方向に横長な接着部と同じく底パネル開放辺の左右幅方向の両側近傍でそれぞれ奥行方向に縦長な接着部との部分的な接着のための接着剤塗布部分を除いて形成される隙間に前記第一側パネル側から挿入可能な少なくとも前記底パネルより幅及び奥行寸法の短い形状の差し込み片が折れ線を介して折り曲げ可能に設けられたブランクを組み立てて形成されたことを特徴とする表示パネル付きカートンである。
【０００７】
本発明によれば、カートンに記載できる表面積を増やすために、第一表示パネルを設けることによって、製品の購入前に必要な多くの情報を消費者（使用者）が得ることができる表示パネル付きカートンを得ることができる。
【０００８】
また、請求項２に記載の発明は、前記第一表示パネルの側辺には、カートンを組み立てたときに前記第一表示パネルと前記第一側パネルとの間に折り込まれる該第一表示パネルより小さい形状の第二表示パネルが折れ線を介して折り曲げ可能に設けられていることを特徴とする請求項１に記載の表示パネル付きカートンである。
【０００９】
本発明によれば、前記請求項１に記載した発明の作用効果に加えて、カートンに記載できる表面積を増やすために、第一表示パネルに加えて前記第一表示パネルの内側に折り畳み可能な第二表示パネルを設けることによって、製品の購入前にさらに多くの情報を消費者（使用者）が得ることができる表示パネル付きカートンを得ることができる。
【００１０】
また、請求項３に記載の発明は、糊代片、第一側パネル、第二側パネル、第三側パネル、第四側パネルが折れ線を介して折り曲げ可能に連設され、前記第二側パネルの上辺には天下パネルが折れ線を介して折り曲げ可能に連設され、下辺には底下パネルが折れ線を介して折り曲げ可能に連設され、前記第一側パネルの上辺及び下辺には折り込み片がそれぞれ折れ線を介して折り曲げ可能に連設され、前記第四側パネルの上辺には天パネルが折れ線を介して折り曲げ可能に連設され、下辺には底パネルが折れ線を介して折り曲げ可能に連設され、前記第三側パネルの上辺及び下辺には折り込み片がそれぞれ折れ線を介して折り曲げ可能に連設され、前記第四側パネルの側辺には、前記第一側パネルと略同形状の第一表示パネルが折れ線を介して折り曲げ可能に連設され、前記第一表示パネルの側辺には前記第二側パネルと略同形状の第二表示パネルが折れ線を介して折り曲げ可能に連設され、前記第二表示パネルの上辺の略中央部に、カートンを組み立てたときに前記天パネルと前記天下パネルとの間に天パネル開放辺の奥行方向の所定位置において左右幅方向に横長な接着部と同じく天パネル開放辺の左右幅方向の両側近傍でそれぞれ奥行方向に縦長な接着部との部分的な接着のための接着剤塗布部分を除いて形成される隙間に前記第二側パネル側から挿入可能な少なくとも前記天パネルより幅及び奥行寸法の短い形状の差し込み片が折れ線を介して折り曲げ可能に設けられ、前記第二表示パネルの下辺の略中央部には、カートンを組み立てたときに前記底パネルと前記底下パネルとの間に底パネル開放辺の奥行方向の所定位置において左右幅方向に横長な接着部と同じく底パネル開放辺の左右幅方向の両側近傍でそれぞれ奥行方向に縦長な接着部との部分的な接着のための接着剤塗布部分を除いて形成される隙間に前記第二側パネル側から挿入可能な少なくとも前記底パネルより左右幅及び奥行寸法の短い形状の差し込み片が折れ線を介して折り曲げ可能に設けられたブランクを組み立てて形成されたことを特徴とする表示パネル付きカートンである。
【００１１】
本発明によれば、カートンに記載できる表面積を増やすために、第一表示パネルに加えて第二表示パネルを設けることによって、製品の購入前にさらに多くの情報を消費者（使用者）が得ることができる表示パネル付きカートンを得ることができる。
【００１２】
【発明の実施の形態】
以下、図面を用いて本発明の実施の形態を説明する。なお、幾つかの図面に渡って同一または同様な部分には同一の符号を付けている。
【００１３】
図１は本発明の表示パネル付きカートンの第一の実施の形態の一実施例を示す斜視図である。表示パネル付きカートンＡは、四つの側面１と天部２と底部３とからなる四角柱形状のカートンであり、側面１が第一側パネル１１、第二側パネル１２、第三側パネル１３、第四側パネル１４そして第一表示パネル１５とからなり、第一表示パネル１５の上辺の一部に設けた差し込み片２５および下辺の一部に設けた差し込み片２６を天部２の間隙および底部３の間隙に差し込まれた状態となり、そして、第一表示パネル１５が第一側パネル１１に重なった状態となっている。
【００１４】
図２は本発明の表示パネル付きカートンの第一の実施の形態の一実施例のブランクの展開図である。ブランク１０Ａは、折れ線ａ、ｂ、ｃ、ｄ、ｅを介して、糊代片２９、第一側パネル１１、第二側パネル１２、第三側パネル１３、第四側パネル１４そして第一表示パネル１５を順次連設している。また、第一側パネル１１の上辺には、折れ線ｆを介して天下パネル１７を、下辺には、折れ線ｇを介して底下パネル１８を連設し、第二側パネル１２の上辺には、折れ線ｈを介して折り込み片１９を、下辺には、折れ線ｉを介して折り込み片２０を連設し、第三側パネル１３の上辺には、折れ線ｊを介して天パネル２１を、下辺には、折れ線ｋを介して底パネル２２を連設し、第四側パネル１４の上辺には、折れ線ｌを介して折り込み片２３を、下辺には、折れ線ｍを介して折り込み片２４を連設している。さらに、第一表示パネル１５において、上辺の一部には、折れ線ｎを介して差し込み片２５を、下辺の一部には、折れ線ｏを介して差し込み片２６を設けている。
【００１５】
つぎに、図２に示した展開されたブランク１０Ａからの本実施の形態の表示パネル付きカートンＡを組立てる工程について図を用いて説明する。
【００１６】
まず、ブランク１０Ａの状態から、図３−ａに示すように、折り畳まれた状態の表示パネル付きカートンＡとする。このとき、第一表示パネル１５を第一側パネル１１に重ね合わせ、糊代片２９と第四側パネル１４とを接着して貼り合わせる。この加工は、従来の製函工程で行うことができる。
【００１７】
つぎに、従来の所謂カートニングマシーンによって、カートンが組み立てられ、内容物が充填され、密封される。
【００１８】
まず、折り畳まれた状態から、図３−ｂに示すように起こされた状態とする。つぎに、図３−ｃに示すように、天部２を形成する。まず、二つの折り込み片１９、２３を内側に折り込み、つぎに天下パネル１７と第一表示パネル１５の差し込み片２５を内側に折り曲げ、さらに、天パネル２２を折り曲げて天下パネル１７と部分的に接着して固定する。
【００１９】
この図３−ｃに示した状態で、底部３側から内容物４をカートン内に挿入する。そして、天部２の形成と同様に、二つの折り込み片２０、２４を内側に折り込み、つぎに底下パネル１８と第一表示パネル１５の差し込み片２６を内側に折り曲げ、さらに、底パネル２２を折り曲げて底下パネル１８と部分的に接着して固定して、図１に示すように、表示パネル付きカートンＡの組立ておよび内容物の充填包装を終了する。
【００２０】
なお、天パネル２１と天下パネル１７との接着および底パネル２２と底下パネル１８との接着は、側パネル１１側から第一表示パネル１５の差し込み片２５、２６を差し込めるように、部分的に接着する必要がある。具体的には、図４に天部２および底部３における貼り合せの接着剤の塗布部Ｇの例を示しているように、差し込んだ差し込み片２５、２６を除いた部分を接着剤の塗布部分Ｇとして天パネル２１と天下パネル１７および底パネル２２と底下パネル１８とを貼り合わせる。このことによって、差し込み片２５を天パネル２１と天下パネル１７の間隙に、差し込み片２６を底パネル２２と底下パネル１８との間隙に差し込んだ状態とすることによって、第一表示パネル１５を側パネル１１に重ねることができる。
【００２１】
このように本発明の表示パネル付きカートンＡにおいては、カートンを開封することなく、図１に示すように、第一表示パネル１５を開くことができる。従って、カートンの表面に加えて、この第一表示パネル１５の両面に多くの情報を記載することができる。
【００２２】
図５は本発明の表示パネル付きカートンの第二の実施の形態の一実施例を示す斜視図である。表示パネル付きカートンＢは、四つの側面１と天部２と底部３とからなる四角柱形状のカートンであり、側面１が第一側パネル１１、第二側パネル１２、第三側パネル１３、第四側パネル１４、第一表示パネル１５そして第二表示パネル１６とからなり、第二表示パネル１６を第一表示パネル１５の内側に折り畳んで重ねて、第一表示パネル１５の上辺の一部に設けた差し込み片２５および下辺の一部に設けた差し込み片２６を天部２の間隙および底部３の間隙に差し込んだ状態とすることによって、第一表示パネル１５および第二表示パネル１６が第一側パネル１１に重なった状態となっている。
【００２３】
図６は本発明の表示パネル付きカートンの第二の実施の形態の一実施例のブランクの展開図である。ブランク１０Ｂが第一の実施の形態のブランク１０Ａと異なる点は、第一表示パネル１５に加えて、第二表示パネル１６を第一表示パネル１５に連設していることである。この第二表示パネル１６は、第一表示パネル１５の内側に折り込まれるが、第二表示パネル１６の形状としては、半円形、台形など第一表示パネル１５の形状より小さく、第一表示パネル１５の内側に折り込まれて、外観上隠される形状であればよい。
【００２４】
つぎに、図６に示した展開されたブランク１０Ｂからの本実施の形態の表示パネル付きカートンＢを組立てる工程については、ブランク１０Ａからの本実施の形態の表示パネル付きカートンＡを組立てる工程とほぼ同様であり、異なる点は、製函工程で第二表示パネル１６を第一表示パネル１５の内側に折り畳んで重ねておくことである。
【００２５】
内容物の充填、包装についても、表示パネル付きカートンＡと同様に、従来の所謂カートニングマシーンによって行うことができる。
【００２６】
また、天パネル２１と天下パネル１７との接着および底パネル２２と底下パネル１８との接着も、表示パネル付きカートンＡと同様に、側パネル１１側から第一表示パネル１５の差し込み片２５、２６を差し込めるように、部分的に接着し、そして、差し込み片２５を天パネル２１と天下パネル１７の間隙に差し込み、差し込み片２６を底パネル２２と底下パネル１８との間隙に差し込んだ状態にすることによって、第一表示パネル１５および第二表示パネル１６を側パネル１１に重ねることができる。
【００２７】
このように本発明の表示パネル付きカートンＢにおいては、カートンを開封することなく、図５に示すように、第一表示パネル１５および第二表示パネル１６を開くことができる。従って、カートンの表面に加えて、この第一表示パネル１５および第二表示パネル１６の両面に多くの情報を記載することができる。
【００２８】
図７は本発明の表示パネル付きカートンの第三の実施の形態の一実施例を示す斜視図である。表示パネル付きカートンＢは、四つの側面１と天部２と底部３とからなる四角柱形状のカートンであり、側面１が第一側パネル１１、第二側パネル１２、第三側パネル１３、第四側パネル１４、第一表示パネル１５そして第二表示パネル１６とからなり、第二表示パネル１６の上辺の一部に設けた差し込み片２７および下辺の一部に設けた差し込み片２８を天部２の間隙および底部３の間隙に差し込んだ状態にすることによって、第一表示パネル１５が第一側パネル１１に重なり、第二表示パネル１６が第二側パネル１２に重なった状態となっている。
【００２９】
図８は本発明の表示パネル付きカートンの第三の実施の形態の一実施例のブランクの展開図である。ブランク１０Ｃの第一の実施の形態のブランク１０Ａと異なる点は、第一表示パネル１５に加えて、第二表示パネル１６を第一表示パネル１５に連設していることである。また、この第二表示パネル１６の上辺の一部に設けた差し込み片２７および下辺の一部に設けた差し込み片２８を天部２の間隙および底部３の間隙に差し込むことから、天下パネル１７、底下パネル１８、折り込み片１９、折り込み片２０、天パネル２１、底パネル２２、折り込み片２３、折り込み片２４を設ける位置が異なっている。
【００３０】
つぎに、図８に示した展開されたブランク１０Ｃからの本実施の形態の表示パネル付きカートンＣを組立てる工程については、ブランク１０Ａからの本実施の形態の表示パネル付きカートンＡを組立てる工程とほぼ同様であり、異なる点は、製函工程で第二表示パネル１６を第一表示パネル１５に連設していることである。
【００３１】
内容物の充填、包装についても、表示パネル付きカートンＡと同様に、従来の所謂カートニングマシーンによって行うことができる。
【００３２】
また、天パネル２１と天下パネル１７との接着および底パネル２２と底下パネル１８との接着も、表示パネル付きカートンＡと同様に、側パネル１１側から第二表示パネル１６の差し込み片２７、２８を差し込めるように、部分的に接着し、そして、差し込み片２７を天パネル２１と天下パネル１７の間隙に差し込み、差し込み片２８を底パネル２２と底下パネル１８との間隙に差し込むことによって、第一表示パネル１５を第一側パネル１１に重ね、第二表示パネル１６を第二側パネル１２に重ねることができる。
【００３３】
このように本発明の表示パネル付きカートンＣにおいては、カートンを開封することなく、図７に示すように、第一表示パネル１５および第二表示パネル１６を開くことができる。従って、カートンの表面に加えて、この第一表示パネル１５および第二表示パネル１６の両面に多くの情報を記載することができる。
【００３４】
【発明の効果】
以上説明したように、本発明によれば、表示パネルは通常状態においては側パネルに重なった状態であり、必要に応じて開閉が自由に行うことができ、この表示パネルを開くことにより、消費者が商品を購入前に表示パネルに記載された多くの情報を得ることができる。また、表示パネル開いて情報を得た後に、表示パネルの差し込み片を天部および底部の間隙に差し込み、元の状態に戻すことができる。さらに、本発明の表示パネル付きカートンは、従来の製函工程で製造することができ、そして、従来のカートニングマシンによってカートンの組立ておよび内容物の充填を行うことができる。
【図面の簡単な説明】
【図１】本発明の表示パネル付きカートンの第一の実施の形態の一実施例を示す斜視図である。
【図２】本発明の表示パネル付きカートンの第一の実施の形態の一実施例のブランクの展開図である。
【図３】本発明の表示パネル付きカートンの第一の実施の形態の一実施例の組み立てを説明する斜視図である。
【図４】本発明の表示パネル付きカートンの天部および底部を貼り合わせる接着剤の塗布部の例を示す概略平面図である。
【図５】本発明の表示パネル付きカートンの第二の実施の形態の一実施例を示す斜視図である。
【図６】本発明の表示パネル付きカートンの第二の実施の形態の一実施例のブランクの展開図である。
【図７】本発明の表示パネル付きカートンの第三の実施の形態の一実施例を示す斜視図である。
【図８】本発明の表示パネル付きカートンの第三の実施の形態の一実施例のブランクの展開図である。
【符号の説明】
Ａ    表示パネル付きカートン（第一の実施の形態）
Ｂ    表示パネル付きカートン（第二の実施の形態）
Ｃ    表示パネル付きカートン（第三の実施の形態）
１    側面
２    天部
３    底部
４    内容物
１０Ａ  ブランク（表示パネル付きカートンＡ）
１０Ｂ  ブランク（表示パネル付きカートンＢ）
１０Ｃ  ブランク（表示パネル付きカートンＣ）
１１    第一側パネル
１２    第二側パネル
１３    第三側パネル
１４    第四側パネル
１５    第一表示パネル
１６    第二表示パネル
１７    天下パネル
１８    底下パネル
１９    折り込み片
２０    折り込み片
２１    天パネル
２２    底パネル
２３    折り込み片
２４    折り込み片
２５    差し込み片（第一表示パネル）
２６    差し込み片（第一表示パネル）
２７    差し込み片（第二表示パネル）
２８    差し込み片（第二表示パネル）
２９    糊代片
Ｇ    接着剤塗布部
【図１】
0004562876.tif 000002
【図２】
0004562876.tif 000003
【図３】
0004562876.tif 000004
【図４】
0004562876.tif 000005
【図５】
0004562876.tif 000006
【図６】
0004562876.tif 000007
【図７】
0004562876.tif 000008
【図８】
0004562876.tif 000009